(57)【要約】【課題】構造が簡単なレンズフード兼用レンズバリア装置を提供する。【解決手段】撮影レンズ２２を保護するための複数のレンズバリア１１〜１４がそれぞれバネ１６によって閉じ方向に付勢された状態で開閉可能に取り付けられたレンズバリア支持筒１５と、使用者の操作によってレンズバリア支持筒１５の外周部を前後方向に進退する操作ノブ１９と、レンズバリア支持筒１９の外周部に前後方向に向かって貫通して形成した長孔１５ｂ１に進入した操作ノブ１９のシャフト部１９ｂと係合されて、操作ノブ１９の操作によりレンズバリア支持筒１８内を進退して複数のレンズバリア１１〜１４を開閉するレンズバリア開閉筒１８とを備えて構成されたレンズフード兼用レンズバリア装置１０を提供する。【選択図】図３
2008003374.tif 000002
【特許請求の範囲】
【請求項１】
被写体を撮影レンズにより撮影する時に撮影画面に対して外部から入射する有害光を遮蔽するためのレンズフードと、前記撮影レンズを保護するための複数のレンズバリアとを兼ね備えたレンズフード兼用レンズバリア装置において、
前記複数のレンズバリアがそれぞれ付勢手段によって閉じ方向に付勢された状態で一端面側に開閉可能に取り付けられ、且つ、他端面側が前記撮影レンズを保持した枠体又はレンズ鏡筒に取り付けられる略円筒状のレンズバリア支持筒と、
前記被写体からの光を前記撮影レンズ側に通過させる光通過孔を内部に有し、且つ、前記レンズバリア支持筒内を光軸方向に進退自在に設けられたレンズバリア開閉筒と、を備え
前記レンズバリア開閉筒を後退させた時にこの前方部位が前記複数のレンズバリアの各内面側から退避し、この退避動作に伴って該複数のレンズバリアを各前記付勢手段により閉じて前記光通過孔を塞ぐ一方、前記レンズバリア開閉筒を前進した時にこの前方部位が前記複数のレンズバリアの各内面側を各前記付勢手段に抗しながら押接し、この押接動作に伴って該複数のレンズバリアを開いてレンズフードとして機能させることを特徴とするレンズフード兼用レンズバリア装置。
【請求項２】
前記撮影画面は長方形であり、前記複数のレンズバリアとして、前記撮影画面の長辺に対応して形成された２枚の第１花弁型レンズバリアを取り付け、且つ、前記撮影画面の短辺に対応して形成された２枚の第２花弁型レンズバリアを取り付けたことを特徴とする請求項１記載のレンズフード兼用レンズバリア装置。
【請求項３】
前記レンズバリア開閉筒は、合計で４枚の前記第１，第２花弁型レンズバリアを開いた時に隣り合う花弁型レンズバリア間に生じる隙間を覆って前記レンズフードを補間するレンズフード補間部を前面外周部に沿って所定の間隔を隔てて４箇所形成したことを特徴とする請求項２記載のレンズフード兼用レンズバリア装置。
【発明の詳細な説明】
【技術分野】
【０００１】
本発明は、スチルカメラやビデオカメラなどに適用され、被写体を撮影レンズにより撮影する時に撮影画面に対して外部から入射する有害光を遮蔽するためのレンズフードと、撮影レンズを保護するためのレンズバリアとを兼ね備えたレンズフード兼用レンズバリア装置に関するものである。
【背景技術】
【０００２】
一般的に、スチルカメラやビデオカメラなどの前面側には撮影レンズを保護するためのレンズバリアが取り付けられていると共に、被写体を撮影レンズにより撮影する時に撮影画面に対して外部から入射する有害光を遮蔽するレンズフードが必要に応じて取り付けられている。
【０００３】
この種の構造形態の一例として、レンズフードとレンズバリアとをユニット化し、且つ、レンズフードを進退させたときにレンズバリアが開閉できる構造形態を採用したカメラレンズのカバーユニットが下記の特許文献１に開示されている。
【０００４】
また、この種の構造形態の他例として、可撓性材料により略半円形に形成された４枚の羽根からなるレンズバリアを開閉自在に設けて、４枚の羽根が開いたときに略円筒形状になることでレンズフードとして機能する構造形態を採用したレンズフード兼用レンズバリアが下記の特許文献２に開示されている。
【特許文献１】実開平４−９１３４１号公報
【特許文献２】特開２０００−３２１６２２号公報
【０００５】
図８（ａ），（ｂ）は従来例１のカメラレンズのカバーユニットにおいて、レンズバリアが閉じている状態を示した前面図，側断面図、
図９（ａ），（ｂ）は従来例１のカメラレンズのカバーユニットにおいて、レンズバリアが開いている状態を示した前面図，側断面図、
図１０は従来例２のレンズフード兼用レンズバリアを説明するための斜視図であり、（ａ）は４枚の羽根が閉じている状態を示し、（ｂ）は４枚の羽根が開いている状態を示した図、
図１１は従来例２において、略円筒状に開いた４枚の羽根によって撮影画面（画角)の対角線上にケラレが生じる状態を示した図である。
【０００６】
まず、図８及び図９に示した従来例１のカメラレンズのカバーユニット５０は、上記した特許文献１（実開平４−９１３４１号公報）に開示されているものであり、ここでは特許文献１を参照して簡略に説明する。
【０００７】
図８（ａ），（ｂ）に示した如く、従来１のカメラレンズのカバーユニット５０では、カメラボディ５１の内筒５２内に撮影レンズ５３が内蔵されている。
【０００８】
また、円筒状に形成された内筒５２の外周部位には、この内筒５２よりも大径に形成された円筒状のレンズフード５４が光軸方向（前後方向）に進退自在に設けられており、且つ、レンズフード５４の内周後端部位に押し出し部５４ａが形成されていると共に、レンズフード５４の内周面にスパイラルの溝５４ｂが形成されている。
【０００９】
また、内筒５２の先端外周部５２ａには、レンズバリア支持環５５が嵌め込まれている。
【００１０】
また、レンズバリア支持環５５の前面５５ａには、４枚のレンズバリア５６がピン５７を介して開閉可能に上下左右に取り付けられ、且つ、各レンズバリア５６は各バネ５８によって閉じ方向に付勢されている。この際、４枚のレンズバリア５６は互いに接合し合う頂点近傍が三角形状に形成されており、閉じたときに全体で長方形状の面積を有している。
【００１１】
また、レンズバリア支持環５５の外周後方部位に係合ピン５５ｂがレンズフード５４の内周面側に突出しており、この係合ピン５５ｂはレンズフード５４の内周面に形成したスパイラルの溝５４ｂに係合している。
【００１２】
更に、レンズバリア支持環５５の前面５５ａの裏面側で外周部位には、押し出し環５９がレンズフード５４に応動して光軸方向（前後方向）に摺動するように設けられており、且つ、押し出し環５９には押し出しピン５９ａ｛図９（ａ）のみ図示｝が各レンズバリア５６と対向するように取り付けられている。
【００１３】
ここで、上記構成による従来１のカメラレンズのカバーユニット５０において、図８（ａ），（ｂ）に示した状態は、カメラボディ５１が不使用時の初期状態であるので、内筒５２に対して円筒状のレンズフード５４及びこのレンズフード５４と応動する押し出し環５９が共に後退しており、レンズバリア支持環５５の前面５５ａに取り付けた４枚のレンズバリア５６は各バネ５８の付勢力により閉じられているので、４枚のレンズバリア５６で撮影レンズ５３を保護している。
【００１４】
一方、図９（ａ），（ｂ）に示した如く、カメラボディ５１を使用する時には、レンズフ−ド５４を手でもって一方向に回転させると、レンズフ−ド５４の内周面に形成したスパイラルの溝５４ｂがレンズバリア支持環５５の外周後方部位から突出した係合ピン５５ｂと係合しているため、スパイラルの溝５４ｂに倣ってレンズフ−ド５４が回転しつつ内筒５２の前方に送られる。
【００１５】
このレンズフ−ド５４の前進に伴って、レンズフ−ド５４の内周後端部位に形成された押し出し部５４ａが押し出し環５９に当接するので押し出し環５９も前進し、この押し出し環５９に取り付けられた押し出しピン５９ａで４枚のレンズバリア５６を押すために、各レンズバリア５６は各バネ５８に抗しながら各ピン５７を支点として押し開かれる。
【００１６】
そして、円筒状のレンズフ−ド５４が前方に至った時に、このレンズフ−ド５４が撮影画面に対して外部から入射する有害光を遮蔽すると共に、レンズフ−ド５４の内部に４枚のレンズバリア５６が開いた状態を保っているので、被写体を撮影することが可能になる。
【００１７】
この後、撮影を終了した後は、レンズフ−ド５４を上記とは反対方向に回転させると、図８（ａ），（ｂ）に示した初期状態に戻ることが開示されている。
【００１８】
次に、図１０（ａ），（ｂ）に示した従来例２のレンズフード兼用レンズバリア７０は、上記した特許文献２（特開２０００−３２１６２２号公報）に開示されているものであり、ここでは特許文献２を参照して４枚の羽根の開閉状態についてのみ図示して簡略に説明する。
【００１９】
図１０（ａ），（ｂ）に示した如く、従来例２のレンズフード兼用レンズバリア７０では、４枚の羽根７１〜７４が可撓性を有する薄い金属板などを用いて略半円形状に形成されており、これら４枚の羽根７１〜７４が複数のヒンジ７５を介して開閉アーム７７と不図示の押え板とに挟持されて開閉可能に取り付けられている。この際、４枚の羽根７１〜７４のうちで、２枚の羽根７１，７２は左右に対向し、２枚の羽根７３，７４は左右の羽根７１，７２の内側で左右に対して略直交して対向している。
【００２０】
尚、７６はリング押えであり、このリング押え７６は開閉アーム７７を回動させる不図示のリングを押さえるものであり、開閉アーム７７を開閉させる機構についての詳細は同号公報を参照されたい。
【００２１】
そして、図１０（ａ）に示したように、４枚の羽根７１〜７４が閉じている状態では、左右の羽根７１，７２が外側に露出するものの、左右の羽根７１，７２に対して略直交した不図示の２枚の羽根７３，７４は左右の羽根７１，７２の下に隠れており、４枚の羽根７１〜７４はレンズバリアとして機能している。
【００２２】
一方、図１０（ｂ）に示したように、開閉アーム７７により４枚の羽根７１〜７４を開いた時には、４枚の羽根７１〜７４が略円筒状に突出するのでレンズフードとして機能している。
【発明の開示】
【発明が解決しようとする課題】
【００２３】
ところで、従来例１のカメラレンズのカバーユニット５０によれば、使用時にカメラボディ５１の内筒５２の前方に円筒状のレンズフード５４を突出させて４枚のレンズバリア５６を開いて被写体を撮影する時に、円筒状のレンズフード５４により撮影画面に対して外部から入射する有害光を遮蔽できるものの、円筒状のレンズフード５４は内筒５２の外側に進退自在に設けられているために、カメラレンズのカバーユニット５０が大型になってしまうと共に、撮影レンズ５３に対して例えばフォーカス調整するためのフォーカス調整リング（図示せず）などを取り付けるスペースがない。
【００２４】
また、従来例１では、前述したようにレンズフード５４の内周面に形成したスパイラルの溝５４ｂにレンズバリア支持環５５の係合ピン５５ｂを係合させ、スパイラルの溝５４ｂに倣ってレンズフ−ド５４を回転しつつ内筒５２の前方に送り、且つ、レンズフ−ド５４の内周後端部位に形成された押し出し部５４ａで押し出し環５９を前進させて４枚のレンズバリア５６を開く構造形態になっているので、構造が複雑でコスト高になってしまう。
【００２５】
一方、従来例２のレンズフード兼用レンズバリア７０によれば、可撓性を有する４枚の羽根７１〜７４を開いた時に略円筒状のレンズフードとしての機能を有するものの、撮影画面に対して上下左右の各辺への遮光を最大限行うようにすると、４枚の羽根７１〜７４による略円筒状のレンズフードでは図１１に示したように撮影画面の対角線上にケラレが発生してしまい、被写体を良好に撮影することができない。そこで、撮影画面の４隅に対して最大限遮光しようとすると、上下左右の各辺の遮光が不十分になり、被写体を良好に撮影することができない場合が生じる。
【００２６】
また、従来例２のレンズフード兼用レンズバリア７０でも同号公報に開示されているように、４枚の羽根７１〜７４を開閉させる機構は複雑である。
【００２７】
そこで、レンズフード機能とレンズバリア機能とを有し、複数のレンズバリアを簡単な構造により開閉でき且つ小型化でき、また、撮影レンズに対して例えばフォーカス調整するためのフォーカス調整リングなどを取り付けるスペースが確保でき、更に、撮影時に撮影画面の対角線上にケラレが発生しない構造形態のレンズフード兼用レンズバリア装置が望まれている。
【課題を解決するための手段】
【００２８】
本発明は上記課題に鑑みてなされたものであり、請求項１記載の発明は、被写体を撮影レンズにより撮影する時に撮影画面に対して外部から入射する有害光を遮蔽するためのレンズフードと、前記撮影レンズを保護するための複数のレンズバリアとを兼ね備えたレンズフード兼用レンズバリア装置において、
前記複数のレンズバリアがそれぞれ付勢手段によって閉じ方向に付勢された状態で一端面側に開閉可能に取り付けられ、且つ、他端面側が前記撮影レンズを保持した枠体又はレンズ鏡筒に取り付けられる略円筒状のレンズバリア支持筒と、
前記被写体からの光を前記撮影レンズ側に通過させる光通過孔を内部に有し、且つ、前記レンズバリア支持筒内を光軸方向に進退自在に設けられたレンズバリア開閉筒と、を備え
前記レンズバリア開閉筒を後退させた時にこの前方部位が前記複数のレンズバリアの各内面側から退避し、この退避動作に伴って該複数のレンズバリアを各前記付勢手段により閉じて前記光通過孔を塞ぐ一方、前記レンズバリア開閉筒を前進した時にこの前方部位が前記複数のレンズバリアの各内面側を各前記付勢手段に抗しながら押接し、この押接動作に伴って該複数のレンズバリアを開いてレンズフードとして機能させることを特徴とするレンズフード兼用レンズバリア装置である。
【００２９】
また、請求項２記載の発明は、請求項１記載のレンズフード兼用レンズバリア装置において、
前記撮影画面は長方形であり、前記複数のレンズバリアとして、前記撮影画面の長辺に対応して形成された２枚の第１花弁型レンズバリアを取り付け、且つ、前記撮影画面の短辺に対応して形成された２枚の第２花弁型レンズバリアを取り付けたことを特徴とするレンズフード兼用レンズバリア装置である。
【００３０】
更に、請求項３記載の発明は、請求項２記載のレンズフード兼用レンズバリア装置において、
前記レンズバリア開閉筒は、合計で４枚の前記第１，第２花弁型レンズバリアを開いた時に隣り合う花弁型レンズバリア間に生じる隙間を覆って前記レンズフードを補間するレンズフード補間部を前面外周部に沿って所定の間隔を隔てて４箇所形成したことを特徴とするレンズフード兼用レンズバリア装置である。
【発明の効果】
【００３１】
請求項１記載のレンズフード兼用レンズバリア装置によると、撮影レンズを保護するための複数のレンズバリアがそれぞれ付勢手段によって閉じ方向に付勢された状態で開閉可能に取り付けられたレンズバリア支持筒と、レンズバリア支持筒内を光軸方向に進退自在に設けられたレンズバリア開閉筒と、を備え、レンズバリア開閉筒を後退させた時にこの前方部位が複数のレンズバリアの各内面側から退避する動作に伴って複数のレンズバリアを各付勢手段により閉じてレンズバリア開閉筒の光通過孔を塞ぐことで撮影レンズを保護し、一方、レンズバリア開閉筒を前進させた時にこの前方部位が複数のレンズバリアの各内面側を各付勢手段に抗しながら押接する動作に伴って複数のレンズバリアを開いてレンズフードとして機能させて撮影画面に対して外部から入射する有害光を遮蔽しているので、簡単な構造で且つ小型化が可能なレンズフード兼用レンズバリア装置を提供できると共に、このレンズフード兼用レンズバリア装置を撮影レンズを保持した枠体又はレンズ鏡筒に取り付けた時に撮影レンズに対して例えばフォーカス調整するためのフォーカス調整リングなどを取り付けるスペースが確保できる。
【００３２】
また、請求項２記載のレンズフード兼用レンズバリア装置によると、撮影画面は長方形であり、複数のレンズバリアとして、撮影画面の長辺に対応して形成された２枚の第１花弁型レンズバリアを取り付け、且つ、撮影画面の短辺に対応して形成された２枚の第２花弁型レンズバリアを取り付けたために、合計で４枚の第１，第２花弁型レンズバリアを開いてレンズフードの機能を持たせたときに、撮影時に撮影画面に対して外部から入射する有害光を遮蔽できると共に、撮影画面の対角線上にケラレが発生しないので、被写体を良好に撮影できる。
【００３３】
更に、請求項３記載のレンズフード兼用レンズバリア装置によると、合計で４枚の第１，第２花弁型レンズバリアを開いた時に隣り合う花弁型レンズバリア間に生じる隙間を覆ってレンズフードを補間するレンズフード補間部を前面外周部に沿って所定の間隔を隔てて４箇所形成したために、合計で４枚の第１，第２花弁型レンズバリアを開いた時に隣り合う花弁型レンズバリア間に生じる隙間から外来光が進入せず、且つ、４箇所のレンズフード補完部により撮影画面の対角線上に生じるケラレが発生しないので、性能の良い花弁型レンズフードとなり、被写体を良好に撮影することができる。
【発明を実施するための最良の形態】
【００３４】
以下に本発明に係るレンズフード兼用レンズバリア装置の一実施例について図１〜図７を参照して詳細に説明する。
【実施例】
【００３５】
図１は本発明に係るレンズフード兼用レンズバリア装置を取り付けたビデオカメラを示した図であり、（ａ）は４枚の花弁型レンズバリアが閉じた状態を示し、（ｂ）は４枚の花弁型レンズバリアが開いた状態を示し、（ｃ）は４枚の花弁型レンズバリアが開いた状態でビデオカメラの全体構成を示した図、
図２は本発明に係るレンズフード兼用レンズバリア装置を分解して示した分解斜視図である。
【００３６】
図１（ａ）〜（ｃ）に示した如く、本発明に係るレンズフード兼用レンズバリア装置１０は、複数のレンズバリア１１〜１４を開閉可能に取り付けたレンズバリア支持筒１５が撮像レンズ２２を保持したビデオカメラ２０のカメラ枠体２１の前面２１ａ側又は撮像レンズ２２を保持したレンズ鏡筒（図示せず）の前面側に固定又は着脱可能に取り付けられている。
【００３７】
また、レンズバリア支持筒１５の内部には、複数のレンズバリア１１〜１４を開閉するためのレンズバリア開閉筒１８が光軸方向（矢印Ｘ１，Ｘ２方向）に進退可能に取り付けられており、このレンズバリア開閉筒１８は使用者の操作によってレンズバリア支持筒１５の外周部を光軸方向と等価である前後方向（矢印Ｘ１，Ｘ２方向）に進退する操作ノブ１９と係合しており、操作ノブ１９と一体にレンズバリア開閉筒１８を後退させて複数のレンズバリア１１〜１４を閉じたときにレンズバリアとして機能させてカメラ枠体２１内に取り付けた撮影レンズ２２を保護し、一方、操作ノブ１９と一体にレンズバリア開閉筒１８を前進させて複数のレンズバリア１１〜１４を開いたときにレンズフードとして機能させて撮影画面に対して外部から入射する有害光を遮蔽しているので、簡単な構造で且つ小型化が可能なレンズフード兼用レンズバリア装置１０を提供できると共に、このレンズフード兼用レンズバリア装置１０を撮影レンズ２２を保持したカメラ枠体２１又はレンズ鏡筒（図示せず）に取り付けた時に撮影レンズ２２に対して例えばフォーカス調整するためのフォーカス調整リング（図示せず）などを取り付けるスペースが確保できるようになっている。
【００３８】
尚、以下の実施例では、複数のレンズバリア１１〜１４として、撮像レンズ２２で撮影する長方形の撮影画面に対応して、上下左右に合計４枚の花弁型レンズバリアを取り付けた例について説明する。この際、４枚の花弁型レンズバリア１１〜１４は、後述するように、開いたときに撮影画面に対して外部から入射する有害光を遮蔽するだけでなく、撮影画面の対角線上に生じるケラレを発生させずに上下左右の各辺への遮光も最大限行うことができるように花弁型に形成されているものである。
【００３９】
ここで、本発明に係るレンズフード兼用レンズバリア装置１０の各構成部材について図２を用いて具体的に説明する。
【００４０】
図２に分解して示した如く、まず、４枚の花弁型レンズバリア１１〜１４は、黒色樹脂材を用いてそれぞれ花弁型に形成されている。
【００４１】
この際、レンズバリア支持筒１５に取り付けた４枚の花弁型レンズバリア１１〜１４を閉じたときに、４枚の花弁型レンズバリア１１〜１４全体でレンズバリア支持筒１５の外周部１５ａの内側に略円形状の面積（図１，図５）を有するものの、撮影レンズ２２（図１）で撮影する被写体の撮影画面のサイズが長方形状であるために、長方形の撮影画面の上下の長辺と対応してレンズバリア支持筒１５の前面上下に互いに対向して取り付けられる上下の第１花弁型レンズバリア１１，１３は、長方形の撮影画面の左右の短辺と対応してレンズバリア支持筒１５の前面左右に互いに対向して取り付けられる左右の第２花弁型レンズバリア１２，１４よりも幅寸法Ｗ及び奥行き寸法Ｄが共に大きく形成されている。
【００４２】
従って、上下の第１花弁型レンズバリア１１，１３は長方形の撮影画面の上下の長辺と対応して大型に形成され、一方、左右の第２花弁型レンズバリア１２，１４は長方形の撮影画面の左右の短辺と対応して上下の第１花弁型レンズバリア１１，１３よりも小型に形成されている。
【００４３】
なお、以下の説明では、４枚の花弁型レンズバリア１１〜１４を上下と左右とに分けて説明する場合のみ上下を第１花弁型レンズバリア１１，１３と呼称し、左右を第２花弁型レンズバリア１２，１４と呼称する。
【００４４】
また、４枚の花弁型レンズバリア１１〜１４それぞれは、各外面１１ａ〜１４ａが平坦に形成されていると共に、各内面１１ｂ〜１４ｂに各支持片１１ｃ〜１４ｃが一対づつピン取り付け孔を有して内側に向かってそれぞれコ字状に突出形成されている。
【００４５】
次に、４枚の花弁型レンズバリア１１〜１４を開閉自在に支持するレンズバリア支持筒１５は、黒色樹脂材を用いて外周部１５ａが略円筒状に形成されていると共に、外周部１５ａの下方近傍にＤカットを施したＤカット外周部１５ｂが平坦に形成されている。
【００４６】
また、レンズバリア支持筒１５の前面(一端面)１５ｃの外周部位の上下左右に沿って、４枚の花弁型レンズバリア１１〜１４を支持する各バリア支持片１５ｄ１〜１５ｄ４が一対づつピン取り付け孔を有して前方に向かって突出形成されており、この際、ピン取り付け孔に通じるスリットが形成されている。
【００４７】
そして、４枚の花弁型レンズバリア１１〜１４の各内面１１ｂ〜１４ｂに形成した各一対の支持片１１ｃ〜１４ｃの各ピン取り付け孔内に各捩じりバネ１６を嵌入した各ピン１７の両端をそれぞれ挿入し、更に、各一対の支持片１１ｃ〜１４ｃから突出した各ピン１７の両端でレンズバリア支持筒１５の前面１５ｃに形成した各一対のバリア支持片１５ｄ１〜１５ｄ４の各スリットを押し広げながら各ピン１７の両端を各一対のバリア支持片１５ｄ１〜１５ｄ４の各ピン取り付け孔内にそれぞれ挿入することで、４枚の花弁型レンズバリア１１〜１４は捩じりバネ１６によって常に閉じ方向に付勢された状態でレンズバリア支持筒１５の前面（一端面）１５ｃの外周部位に沿って上下左右に取り付けられるようになっている。
【００４８】
また、レンズバリア支持筒１５の内部には、前面（一端面）１５ｃ側から後面（他端面）１５ｅ側に向かって外周部１５ａの径よりひとまわり小径に設定されて後述するレンズバリア開閉筒１８のレンズフード補完部１８ａを収納する前方部逃げ孔１５ｆと、前方部逃げ孔１５ｆよりも小径に設定されて後述するレンズバリア開閉筒１８のレンズバリア取り付け逃げ凹部１８ｂを嵌合させる中間部嵌合孔１５ｇと、中間部嵌合孔１５ｇよりも小径に設定されて被写体からの光を撮影レンズ２２（図１）側に通過させる後方部光通過孔１５ｈとが階段状に貫通して穿設されている。
【００４９】
この際、レンズバリア支持筒１５の後面（他端面）１５ｅ側は、先に図１を用いて説明したビデオカメラ２０のカメラ枠体２１の前面２１ａ側又は撮像レンズ２２を保持したレンズ鏡筒（図示せず）の前面側に固定又は着脱可能に取り付けられている。
【００５０】
再び図２戻り、４枚の花弁型レンズバリア１１〜１４を開閉するレンズバリア開閉筒１８は、黒色樹脂材を用いて略段付き円筒状に形成されており、前方外周部位にレンズフード補完部１８ａが所定の厚みを持って円周に沿って所定の間隔を離して４箇所形成され、且つ、隣り合うレンズフード補完部１８ａ間にレンズバリア取り付け逃げ凹部１８ｂがレンズフード補完部１８ａに対して凹状に引っ込んで４箇所形成されていると共に、レンズフード補完部１８ａの内周側及びレンズバリア取り付け逃げ凹部１８ｂの内周側に被写体からの光を撮影レンズ２２（図１）側に通過させるテーパ状光通過孔１８ｃが前方側から後方に向かって孔径が徐々に小径になるように貫通して形成されている。この際、テーパ状光通過孔１８ｃの後方側の最小径をレンズバリア支持筒１５の後方部光通過孔１５ｈの孔径に略一致させている。
【００５１】
ここで、レンズバリア開閉筒１８に形成した４箇所のレンズフード補完部１８ａは、この外周部１８ａ１がレンズバリア支持筒１５の前方部逃げ孔１５ｆ内に進退できる外径に形成されており、後述するように、レンズバリア開閉筒１８を前方に移動して４枚の花弁型レンズバリア１１〜１４を開いた時に、４箇所のレンズフード補完部１８ａで隣り合う花弁型レンズバリア間に生じる隙間を覆って４枚の花弁型レンズバリア１１〜１４による花弁型レンズフードを補完するようになっており、この４箇所のレンズフード補完部１８ａにより撮影画面の対角線上に生じるケラレを発生させない点が本発明の特徴の一部となっている。
【００５２】
一方、レンズバリア開閉筒１８に形成した４箇所のレンズバリア取り付け逃げ凹部１８ｂは、レンズバリア支持筒１５の前面１５ｃに形成した各バリア支持片１５ｄ１〜１５ｄ４を逃げるために、４箇所のレンズフード補完部１８ａの外周部１８ａ１より内周側に向かって凹状に引っ込んで前方から後方にかけてそれぞれ平坦面に形成されており、且つ、４箇所のレンズフード補完部１８ａの後方でこれより小径に形成した後方円筒部１８ｄの外周まで延出されている。
【００５３】
そして、レンズバリア開閉筒１８の後方円筒部１８ｄの外周側に平坦に延出させた４箇所のレンズバリア取り付け逃げ凹部１８ｂが、レンズバリア支持筒１５の中間部嵌合孔１５ｇ内に進退自在に嵌合されることで、レンズバリア開閉筒１８が光軸方向と等価である前後方向（矢印Ｘ１，Ｘ２方向）に向かって進退自在になっている。
【００５４】
また、レンズバリア開閉筒１８を前後方向（矢印Ｘ１，Ｘ２方向）に移動させるための操作ノブ１９は、樹脂材を用いて使用者が操作するノブ部１９ａが弾性変位可能に薄肉で矩形状に形成されており、このノブ部１９ａの裏面中央にシャフト部１９ｂがノブ部１９ａよりも剛性を持って一体的に突出形成されている。
【００５５】
上記した操作ノブ１９のシャフト部１９ｂは、レンズバリア支持筒１５の外周部下方近傍をＤカットしたＤカット外周部１５ｂに前後方向に向かって貫通して穿設した長孔１５ｂ１（図３，図４）内に進入されており、且つ、シャフト部１９ｂの先端部位がレンズバリア開閉筒１８の後方円筒部１８ｄに穿設した丸孔１８ｄ１（図３）内に圧入又は接着により固着されるようになっていると共に、使用者の手動操作によってノブ部１９ａがレンズバリア支持筒１５のＤカット外周部１５ｂに沿って前後方向（矢印Ｘ１，Ｘ２方向）にスライド可能になっている。尚、操作ノブ１９のノブ部１９ａの裏面左右にこの操作ノブ１９のスライド位置を規制するストッパ用突起１９ｃが突出形成されているが、このストッパ用突起１９ｃよる位置決め機能については後述する。
【００５６】
尚、この実施例において、レンズバリア支持筒１５内でレンズバリア開閉筒１８を光軸方向に移動させる手段は、使用者の手動操作によってスライドする操作ノブ１９をレンズバリア開閉筒１８に係合させているが、これに限ることなく、例えばビデオカメラ２０（図１）の電源をオン／オフさせるスライドスイッチにレンズバリア開閉筒１８を係合させても良い。更に、レンズバリア開閉筒１８を小型モータとか圧電素子などの駆動源によって光軸方向に自動的に移動させることも可能である。
【００５７】
次に、上記した構成による本発明に係るレンズフード兼用レンズバリア装置１０の組み立て及び動作について図３〜図７を用いて説明する。
【００５８】
図３は本発明に係るレンズフード兼用レンズバリア装置おいて、レンズバリア支持筒の外周部下方近傍に形成したＤカット外周部を断面して示した縦断面図であり、（ａ），（ｂ）は花弁型レンズバリアが閉じた状態を示し、（ｃ），（ｄ）は花弁型レンズバリアが開いた状態を示した図、
図４は本発明に係るレンズフード兼用レンズバリア装置を後面側から見たときに、レンズバリア支持筒の外周部下方近傍に形成したＤカット外周部を示した斜視図であり、（ａ）は花弁型レンズバリアが閉じた状態を示し、（ｂ）は花弁型レンズバリアが開いた状態を示した図、
図５（ａ），（ｂ），（ｃ）は本発明に係るレンズフード兼用レンズバリア装置において、４枚の花弁型レンズバリアが閉じた状態を示した前面図，側面図，Ｙ−Ｏ−Ｘ断面図、
図６（ａ），（ｂ），（ｃ）は本発明に係るレンズフード兼用レンズバリア装置において、４枚の花弁型レンズバリアが開いた状態を示した前面図，側面図，Ｙ−Ｏ−Ｘ断面図、
図７は本発明に係るレンズフード兼用レンズバリア装置を前面側から見たときの斜視図であり、（ａ）は４枚の花弁型レンズバリアが閉じた状態を示し、（ｂ）は４枚の花弁型レンズバリアが開いた状態を示した図である。
【００５９】
まず、図３（ａ），（ｃ）に示した如く、本発明に係るレンズフード兼用レンズバリア装置１０を組み立てる場合には、まず、レンズバリア支持筒１５の前面１５ｃ側からレンズバリア開閉筒１８に形成した４箇所のレンズバリア取り付け逃げ凹部１８ｂをレンズバリア支持筒１５の中間部嵌合孔１５ｇ内に嵌合させる。
【００６０】
この後、レンズバリア支持筒１５のＤカット外周部１５ｂに貫通して穿設した長孔１５ｂ１内に操作ノブ１９のシャフト部１９ｂを挿入して、このシャフト部１９ｂの先端部位をレンズバリア開閉筒１８の後方円筒部１８ｄに穿設した丸孔１８ｄ１内に圧入又は接着により固着させて、操作ノブ１９をレンズバリア支持筒１５に穿設した長孔１５ｂ１を介してレンズバリア開閉筒１８に一体的に係合させる。
【００６１】
この際、図３（ｂ）に示したように、操作ノブ１９を後方（矢印Ｘ２方向）に移動させて、弾性変位可能に薄肉に形成したノブ部１９ａの裏面に突出形成されたストッパ用突起１９ｃを、レンズバリア支持筒１５のＤカット外周部１５ｂの中央よりも後方に形成した第１位置決め孔１５ｂ２内に係合させると、操作ノブ１９と一体にレンズバリア開閉筒１８がレンズバリア閉じ位置に位置決めされてロック可能となる。そして、操作ノブ１９がレンズバリア閉じ位置に位置決めされた時に、図３（ａ）に示したように、操作ノブ１９のシャフト部１９ｂはレンズバリア支持筒１５のＤカット外周部１５ｂに貫通して穿設した長孔１５ｂ１内で後端側に至り、且つ、レンズバリア開閉筒１８の後方円筒部１８ｄの後端がレンズバリア支持筒１５の後方部光通過孔１５ｈの前端側に至る。
【００６２】
一方、図３（ｄ）に示したように、操作ノブ１９を前方（矢印Ｘ１方向）に移動させて、弾性変位可能に薄肉に形成したノブ部１９ａの裏面に突出形成されたストッパ用突起１９ｃを、レンズバリア支持筒１５のＤカット外周部１５ｂの前方に形成した第２位置決め孔１５ｂ３内に係合させると、操作ノブ１９と一体にレンズバリア開閉筒１８がレンズバリア開き位置に位置決めされてロック可能となる。そして、操作ノブ１９がレンズバリア開き位置に位置決めされた時に、図３（ｃ）に示したように、操作ノブ１９のシャフト部１９ｂはレンズバリア支持筒１５のＤカット外周部１５ｂに貫通して穿設した長孔１５ｂ１内で前端側に至り、且つ、レンズバリア開閉筒１８の前方に形成した４箇所のレンズフード補完部１８ａが前方に迫り出す。
【００６３】
また、４枚の花弁型レンズバリア１１〜１４をレンズバリア支持筒１５の前面１５ｃ側に組み立てる順番は、レンズバリア開閉筒１８をレンズバリア支持筒１５内に嵌合させる以前又は以後でも可能であるものの、以前の場合には４枚の花弁型レンズバリア１１〜１４がそれぞれ捩じりバネ１６により閉じ方向に付勢されているために、４枚の花弁型レンズバリア１１〜１４を各捩じりバネ１６に抗して開いた状態でレンズバリア開閉筒１８をレンズバリア支持筒１５内に挿入しなければならないので作業性が悪くなる。従って、レンズバリア開閉筒１８をレンズバリア支持筒１５内に嵌合させた後に４枚の花弁型レンズバリア１１〜１４を前述した手順によりレンズバリア支持筒１５の前面１５ｃ側に取り付ける方が組み立て易い。
【００６４】
そして、図４（ａ），（ｂ）にも示したように、操作ノブ１９をレンズバリア支持筒１５のＤカット外周部１５ｂに沿って前後方向（矢印Ｘ１，Ｘ２方向）にスライドさせることにより、操作ノブ１９と一体にレンズバリア開閉筒１８が４枚の花弁型レンズバリア１１〜１４を取り付けたレンズバリア支持筒１５内で前後方向（矢印Ｘ１，Ｘ２方向）に移動可能となる。
【００６５】
ここで、図５（ａ）〜（ｃ）及び図７（ａ）に示した状態は、本発明に係るレンズフード兼用レンズバリア装置１０が不使用状態（初期状態）を示したものである。
【００６６】
この不使用状態（初期状態）は、使用者が操作ノブ１９をレンズバリア支持筒１５のＤカット外周部１５ｂに沿って後方（矢印Ｘ２方向）に向かって移動させた時に、この操作ノブ１９に係合したレンズバリア開閉筒１８もレンズバリア支持筒１５内の後方（矢印Ｘ２方向）に移動している状態である。
【００６７】
このレンズバリア開閉筒１８の後方への移動に伴って、レンズバリア開閉筒１８に形成した４箇所のレンズバリア取り付け逃げ凹部１８ｂの前方部位が、４枚の花弁型レンズバリア１１〜１４の各内面１１ｂ〜１４ｂ（図２）に形成した各支持片１１ｃ〜１４ｃに沿いながら退避（後退）するので、４枚の花弁型レンズバリア１１〜１４が各捩じりバネ１６の付勢力により閉じて、これら４枚の花弁型レンズバリア１１〜１４でレンズバリア開閉筒１８のテーパ状光通過孔１８ｃを塞いでいる。
【００６８】
この際、レンズバリア開閉筒１８の前方部位に形成した４箇所のレンズフード補完部１８ａはレンズバリア支持筒１５の前面１５ｃよりも僅かに前方で、閉じている各花弁型レンズバリア１１〜１４の裏面位置近傍まで僅かに突出しており、隣り合う花弁型レンズバリア間に生じた各花弁型レンズバリア１１〜１４の各支持片１１ｃ〜１４ｃの高さ分に相当する僅かな隙間を覆っている。
【００６９】
従って、４枚の花弁型レンズバリア１１〜１４が閉じている時には、レンズフード兼用レンズバリア装置１０の内部に塵埃などが入り込むことなく、カメラ枠体２１（図１）内に取り付けた撮影レンズ２２（図１）を保護できる。
【００７０】
次に、図６（ａ）〜（ｃ）及び図７（ｂ）に示した状態は、本発明に係るレンズフード兼用レンズバリア装置１０が使用状態を示したものである。
【００７１】
この使用状態は、使用者が操作ノブ１９をレンズバリア支持筒１５のＤカット外周部１５ｂに沿って前方（矢印Ｘ１方向）に向かって移動させた時に、この操作ノブ１９に係合したレンズバリア開閉筒１８もレンズバリア支持筒１５内の前方（矢印Ｘ１方向）に移動している状態である。
【００７２】
このレンズバリア開閉筒１８の前方への移動に伴って、レンズバリア開閉筒１８に形成した４箇所のレンズバリア取り付け逃げ凹部１８ｂの前方部位が、４枚の花弁型レンズバリア１１〜１４の各内面１１ｂ〜１４ｂに形成した各支持片１１ｃ〜１４ｃを各捩じりバネ１６に抗して押接しながら前進するので、４枚の花弁型レンズバリア１１〜１４が開き、この後、レンズバリア開閉筒１８の更なる前進により４枚の花弁型レンズバリア１１〜１４の各内面１１ｂ〜１４ｂに形成した各支持片１１ｃ〜１４ｃが４箇所のレンズバリア取り付け逃げ凹部１８ｂの平坦面に当接したままとなるので、４枚の花弁型レンズバリア１１〜１４は各捩じりバネ１６に抗して開いた状態を維持できる。
【００７３】
そして、４枚の花弁型レンズバリア１１〜１４が開いた時に、前述したように、４枚の花弁型レンズバリア１１〜１４のうちで上下の第１花弁型レンズバリア１１，１３は被写体撮影時の長方形の撮影画面の長辺と対応して大型に形成され、一方、左右の第２花弁型レンズバリア１２，１４は長方形の撮影画面の短辺と対応して小型に形成されているので、４枚の花弁型レンズバリア１１〜１４は花弁型レンズフードとして機能することができ、これにより撮影時に撮影画面に対して外部から入射する有害光を遮蔽することができ、且つ、先に図１１を用いて説明したような撮影画面の対角線上にケラレが発生することがないので、被写体を良好に撮影することができる。
【００７４】
この際、レンズバリア開閉筒１８の前方移動に伴って、レンズバリア開閉筒１８の前方部位に形成した４箇所のレンズフード補完部１８ａは初期位置よりも前方に迫り出して、開き状態である隣り合う花弁型レンズバリア間に生じた隙間を覆って４枚の花弁型レンズバリア１１〜１４による花弁型レンズフードを補完しているので、４枚の花弁型レンズバリア１１〜１４を開いた時に隣り合う花弁型レンズバリア間に生じる隙間から外来光が進入せず、且つ、４箇所のレンズフード補完部１８ａにより撮影画面の対角線上に生じるケラレが発生しないので、性能の良い花弁型レンズフードとなり、被写体を良好に撮影することができる。
【図面の簡単な説明】
【００７５】
【図１】本発明に係るレンズフード兼用レンズバリア装置を取り付けたビデオカメラを示した図であり、（ａ）は４枚の花弁型レンズバリアが閉じた状態を示し、（ｂ）は４枚の花弁型レンズバリアが開いた状態を示し、（ｃ）は４枚の花弁型レンズバリアが開いた状態でビデオカメラの全体構成を示した図である。
【図２】本発明に係るレンズフード兼用レンズバリア装置を分解して示した分解斜視図である。
【図３】本発明に係るレンズフード兼用レンズバリア装置おいて、レンズバリア支持筒の外周部下方近傍に形成したＤカット外周部を断面して示した縦断面図であり、（ａ），（ｂ）は花弁型レンズバリアが閉じた状態を示し、（ｃ），（ｄ）は花弁型レンズバリアが開いた状態を示した図である。
【図４】本発明に係るレンズフード兼用レンズバリア装置を後面側から見たときに、レンズバリア支持筒の外周部下方近傍に形成したＤカット外周部を示した斜視図であり、（ａ）は花弁型レンズバリアが閉じた状態を示し、（ｂ）は花弁型レンズバリアが開いた状態を示した図である。
【図５】（ａ），（ｂ），（ｃ）は本発明に係るレンズフード兼用レンズバリア装置において、４枚の花弁型レンズバリアが閉じた状態を示した前面図，側面図，Ｙ−Ｏ−Ｘ断面図である。
【図６】（ａ），（ｂ），（ｃ）は本発明に係るレンズフード兼用レンズバリア装置において、４枚の花弁型レンズバリアが開いた状態を示した前面図，側面図，Ｙ−Ｏ−Ｘ断面図である。
【図７】本発明に係るレンズフード兼用レンズバリア装置を前面側から見たときの斜視図であり、（ａ）は４枚の花弁型レンズバリアが閉じた状態を示し、（ｂ）は４枚の花弁型レンズバリアが開いた状態を示した図である。
【図８】（ａ），（ｂ）は従来例１のカメラレンズのカバーユニットにおいて、レンズバリアが閉じている状態を示した前面図，側断面図である。
【図９】（ａ），（ｂ）は従来例１のカメラレンズのカバーユニットにおいて、レンズバリアが開いている状態を示した前面図，側断面図である。
【図１０】従来例２のレンズフード兼用レンズバリアを説明するための斜視図であり、（ａ）は４枚の羽根が閉じている状態を示し、（ｂ）は４枚の羽根が開いている状態を示した図である。
【図１１】従来例１，２において、円筒状のレンズフード、又は、略円筒状に開いた４枚の羽根によって撮影画面（画角)の対角線上にケラレが生じる状態を示した図である。
【符号の説明】
【００７６】
１０…本発明に係るレンズフード兼用レンズバリア装置、
１１，１３…上下の第１花弁型レンズバリア、
１２，１４…左右の第２花弁型レンズバリア、
１１ａ〜１４ａ…外面、１１ｂ〜１４ｂ…内面、
１１ｃ〜１４ｃ…支持片、
１５…レンズバリア支持筒、１５ａ…外周部、
１５ｂ…Ｄカット外周部、１５ｂ１…長孔、
１５ｂ２，１５ｂ３…第１，第２位置決め孔、１５ｃ…一端面（前面）、
１５ｄ１〜１５ｄ４…バリア支持片、１５ｅ…他端面（後面）、
１５ｆ…前方部逃げ孔、１５ｇ…中間部嵌合孔、１５ｈ…後方部光通過孔、
１６…捩じりバネ、１７…ピン、
１８…レンズバリア開閉筒、
１８ａ…レンズフード補完部、１８ｂ…レンズバリア取り付け逃げ凹部、
１８ｃ…テーパ状光通過孔、１８ｄ…後方円筒部、１８ｄ１…丸孔、
１９…操作ノブ、１９ａ…ノブ部、１９ｂ…シャフト部、１９ｃ…ストッパ用突起、
２０…ビデオカメラ、２１…カメラ枠体、２１ａ…前面、２２…撮影レンズ。
【図１】
2008003374.tif 000003
【図２】
2008003374.tif 000004
【図３】
2008003374.tif 000005
【図４】
2008003374.tif 000006
【図５】
2008003374.tif 000007
【図６】
2008003374.tif 000008
【図７】
2008003374.tif 000009
【図８】
2008003374.tif 000010
【図９】
2008003374.tif 000011
【図１０】
2008003374.tif 000012
【図１１】
2008003374.tif 000013